【手続補正書】
【提出日】平成24年7月12日(2012.7.12)
【手続補正１】
【補正対象書類名】特許請求の範囲
【補正対象項目名】全文
【補正方法】変更
【補正の内容】
【特許請求の範囲】
【請求項１】
パッケージングのための印刷面付け方法であって：
ａ）面付けシートを備えるステップ；
ｂ）面付けシート特徴を備えるステップ；
ｃ）第１のデザインされたパッケージ要素を備えるステップであって、前記デザインされたパッケージ要素は第１の可変情報オブジェクトを有する、ステップ；
ｄ）第１の可変情報データを備えるステップ；
ｅ）前記第１の可変情報オブジェクトに前記第１の可変情報データを加えるステップ；  ｆ）前記第１のデザインされたパッケージ要素において前記第１の可変情報オブジェクト及び前記第１の可変情報データを組み合わせることにより第１可変パッケージ要素を生成するステップ；
ｇ）第２のデザインされたパッケージ要素を備えるステップであって、前記デザインされたパッケージ要素は第２の可変情報オブジェクトを有する、ステップ；
ｈ）第２の可変情報データを備えるステップ；
ｉ）前記第２の可変情報オブジェクトに前記第２の可変情報データを加えるステップ；
ｊ）前記デザインされたパッケージ要素において前記第２の可変情報オブジェクト及び前記第２の可変情報データを組み合わせることにより第２可変パッケージ要素を生成するステップ；
ｋ）前記面付けシート特徴に従って前記面付けシート上に前記第１可変パッケージ要素及び前記第２可変パッケージ要素を位置付けるステップ；並びに
ｌ）前記面付けシートが十分にポピュレートされない場合には、上記ステップｃ）に戻り、前記面付けシートが十分にポピュレートされた場合には、終了する、ステップ；
を有する印刷面付け方法。
【請求項２】
請求項１に記載の印刷面付け方法であって、前記第１のデザインされたパッケージ要素のダイカットは前記第２のデザインされたパッケージ要素のダイカットとは異なる、印刷面付け方法。
【請求項３】
請求項１に記載の印刷面付け方法であって、前記第１の可変情報オブジェクトは複数の可変情報オブジェクトである、印刷面付け方法。
【手続補正２】
【補正対象書類名】明細書
【補正対象項目名】０００５
【補正方法】変更
【補正の内容】
【０００５】
図３は、デザインされた印刷面付けシート３０の例を示している。その面付けシートの例は、同じ面付けシートにポピュレートされた同じ４つのパッケージング要素を有する。
【手続補正３】
【補正対象書類名】明細書
【補正対象項目名】０００６
【補正方法】変更
【補正の内容】
【０００６】
パッケージング要素１０は典型的には、図１に示すように、非矩形形状である。所定の印刷面付けシート３０上にそのような形状を組むことは、Ｋｏｄａｃｋ社製のＰａｎｄｏｒａ（登録商標）又はＳｔｅｐＯｎｅ（登録商標）等の専用パッケージデザインアブリケーションにより達成される。パッケージングデザインワークフローは、少なくとも次のステップを有する。
１，次のパッケージングオリエンテドファイルフォーマット、即ち、シートサイズ情報を有するＣＦＦ２／ＤＤＥＳ／ＤＸＦ、単独のパッケージング形状及びステップを表すデータ、各々のインスタンスの繰り返しのうちの少なくとも１つに従って書き込まれたテキストファイルのみによりもたらされるステップをデザインし、パッケージング形状を繰り返す。
２．最初のステップで生成されたデータは、グラフィックアートデザインステップにより取り込まれて、Ｋｏｄａｋ  Ｐａｎｄｏｒａ（登録商標）等のアプリケーションを繰り返す。そのアプリケーションのユーザは更に、全ての繰り返しに同じアートワークをポピュレートすることが可能であり、又は、異なる繰り返しについて異なるアートワークを割り当てることが可能である。
３．最初のステップからのデータはＰｏｓｔｓｃｒｉｐｔ（登録商標）／ＰＤＦに変換され、各々の繰り返しが手動でグラフィックアート（アートワーク）情報を割り当てられるＡｄｏｂｅ  Ｃｒｅａｔｉｖｅ  Ｓｕｉｔｅ（登録商標）等のデザインパッケージに取り込まれる。ユーザは更に、同じアートワーク内に全ての繰り返しをポピュレートすることが可能であり、又は、異なる繰り返しについて異なるアートワークを割り当てることが可能である。  個人用印刷の導入の場合、各々の印刷される文書は直接、特定の受取人に対して指定されることが可能である。そのような個人用文書は、名前及び住所等の個人情報を取り込むことが可能であるが、異なる画像コンテンツを割り当てることも可能である。例えば、広告は、年齢、裕福さ及び場所が異なる人々を対象とされることが可能である。可変データ印刷（ＶＤＰ）ジョブは良好に確立されるが、それは、パッケージングジョブのデザイン及び印刷のためには用いられず、又はパッケージングジョブのデザイン及び印刷には容易に適合されない。
【手続補正４】
【補正対象書類名】明細書
【補正対象項目名】００１０
【補正方法】変更
【補正の内容】
【００１０】
【図１】従来技術のパッケージング要素ダイカットデザインを模式的に示す図である。
【図２Ａ】異なるグラフィックデザインが各々ポピュレートされた従来技術のパッケージング要素を模式的に示す図である。
【図２Ｂ】異なるグラフィックデザインが各々ポピュレートされた従来技術のパッケージング要素を模式的に示す図である。
【図２Ｃ】異なるグラフィックデザインが各々ポピュレートされた従来技術のパッケージング要素を模式的に示す図である。
【図３】同じパッケージング要素を有する従来技術の面付けレイアウトシートを模式的に示す図である。
【図４】本発明に従った、可変要素を有する同じパッケージング要素を有する面付けレイアウトシートを模式的に示す図である。
【図５】異なるコンテンツを有するパッケージング要素を有する面付けレイアウトシートを模式的に示す図である。
【図６】異なるデザイン及びコンテンツを有するパッケージング要素を有する面付けレイアウトシートを模式的に示す図である。
【図７】同じシート上に異なるパッケージングジョブを有する面付けレイアウトシートを模式的に示す図である。
【図８】異なるパッケージングジョブを有する面付けレイアウトシートであって、各々のパッケージングジョブは可変情報ジョブであり、全てのジョブは同じシート上に印刷される、面付けレイアウトシートを模式的に示す図である。
【図９】可変データ記録リポジトリからの可変パッケージング文書の生成を模式的に示す図である。
【手続補正５】
【補正対象書類名】明細書
【補正対象項目名】００１２
【補正方法】変更
【補正の内容】
【００１２】
図４は、パッケージング要素３４は、パッケージング面付けシート４０の４つのインスタンス全てについて同じである。更に、各々のインスタンスは、パッケージング要素３４の各々に取り付けられた可変構成要素（４４，４５，４６，４７）を有する。図９は、可変データ記録リポジトリ９１から検索された可変構成要素９２，９３，９４を示し、各々の記録は、新しく生成された可変パッケージング文書９５，９６、９７にポピュレートされる。この実施例においては、テキスト形式の可変構成要素を示しているが、各々の記録は、例えば、画像又はグラフィックス等の異なる形式であることが可能である。種々の可変構成要素は、各々のパッケージング要素３４の異なる可変プレースホルダにおいて構成される又は自動的にグラフィカルに位置付けられることが可能である。そのような可変データリポジトリにおける記録量はかなり多いことが可能であり、従って、異なる記録に適合するように自動的に生成されたかなり多くの数のパッケージング要素がもたらされる。
【手続補正６】
【補正対象書類名】明細書
【補正対象項目名】００１５
【補正方法】変更
【補正の内容】
【００１５】
パッケージング面付けシート７０に類似するパッケージング面付けシート８０を示す図８を参照する。パッケージング面付けシート８０は、ジョブ７２、７４及び７６の各々のインスタンスを入れることに加えて、パッケージング面付けシート８０においてデザインされた可変構成要素を自動的に変化させてポピュレートするように構成されている。
【手続補正７】
【補正対象書類名】明細書
【補正対象項目名】００１６
【補正方法】変更
【補正の内容】
【００１６】
可変構成要素をポピュレートすることは、ラスタイメージプロセッサ（ＲＩＰ）に可変情報処理手段を備えることにより、ＲＩＰ前に又はＲＩＰ理中に実行されることが可能である。Ｃｒｅｏディジタルカラーサーバで用いられるＣｒｅｏ  ＲＩＰは、Ｃｒｅｏ  ＶＰＳ（Ｖａｒｉａｂｌｅ  Ｐｏｓｔｓｃｒｉｐｔ）、ＰＰＭＬ（Ｐｅｒｓｏｎａｌｉｚｅｄ  Ｐｒｉｎｔ  Ｍａｒｋｕｐ  Ｌａｎｇｕａｇｅ）、又は可変データ構成要素が備えられたＰＤＦ等の他のフォーマットを処理することができる。ＲＩＰを処理することができるＶＰＳを利用するように、備えられる必要があるパッケージングシートデザインアップリケーションにより生成されるデータは、ＶＰＳフォーマット又はＰＰＭＬ等のフォーマットを処理することができる他の可変フォーマットである。